(57)【特許請求の範囲】
【請求項１】
原子炉出力を制御する出力制御部と、
原子炉圧力を制御する圧力制御部と、
主蒸気管と、前記主蒸気管と接続した第１のタービンと、前記主蒸気管と前記第１のタービンとの間に設けられた主蒸気加減弁と、前記主蒸気加減弁より上流側で前記主蒸気管と接続した入口蒸気管と、前記入口蒸気管と接続した湿分分離加熱器と、前記湿分分離加熱器と接続した第２のタービンと、前記主蒸気加減弁より上流側で前記主蒸気管から分岐し、前記第２のタービンと接続するタービンバイパス管に設けられたタービンバイパス弁と、を備えた自然循環型原子炉の出力制御装置において、
前記圧力制御部には、前記出力制御部からの出力調整要求信号が入力され、
前記圧力制御部は、前記出力調整要求信号に基づいて、前記主蒸気管と前記湿分分離加熱器との間に設けられた入口蒸気加減弁の開度を制御するとともに、
前記圧力制御部は、ゲート部を有し、前記出力調整要求信号が予め定めた閾値よりも大きい場合には、前記タービンバイパス弁が開くように制御し、前記出力調整要求信号が閾値よりも小さい場合には、前記入口蒸気加減弁が閉じるように制御することを特徴とする自然循環型原子炉の出力制御装置。
【請求項２】
前記圧力制御部又は前記出力制御部には、中央給電室からの負荷追従要求信号が入力され、
前記圧力制御部は、ゲート部を有し、前記負荷追従要求信号が予め定めた閾値よりも大きい場合には、前記タービンバイパス弁が開くように制御し、前記負荷追従要求信号が閾値よりも小さい場合には、前記入口蒸気加減弁が閉じるように制御することを特徴とする請求項１に記載の自然循環型原子炉の出力制御装置。
【発明の詳細な説明】
【技術分野】
【０００１】
本発明は、原子炉の出力制御装置、特に冷却材を自然循環によって循環させる自然循環型原子炉の出力制御装置に関する。また、この出力制御装置を備えた自然循環型原子炉の発電システムに関する。さらには、自然循環型原子炉の出力制御方法に関する。
【背景技術】
【０００２】
一般に、原子炉は、その冷却材（冷却水）の循環方式によって強制循環型と自然循環型とに大別することができる。強制循環型原子炉は、ジェットポンプ又はインターナルポンプ等の再循環ポンプを備えており、このポンプを用いて強制的に炉心に冷却水を送り込むようになっている。
【０００３】
一方、自然循環型原子炉は、上記強制循環型原子炉のように再循環ポンプを備えておらず、炉心を取り囲む原子炉シュラウドの外側の冷却水と、シュラウドの内側の水と蒸気が混在する気液混合流との密度差に基づく自然循環力によって、冷却水が循環されるようになっている。
【０００４】
このように自然循環型原子炉は再循環ポンプを備えていないため、原子炉の負荷変動の要求がなされた場合には、制御棒の操作により原子炉の出力を変更させて対応する必要がある。しかし、制御棒の操作を用いる場合には、制御棒の操作から発電機等の出力が変更されるまでの時定数が大きいため、負荷変動に対する追従性が問題となる。
【０００５】
ここで、制御棒の操作によらずに原子炉の出力を変動させるものとして、タービン蒸気（主蒸気）加減弁とタービンバイパス弁とを連動させて、原子炉の熱出力を制御する自然循環型原子炉が知られている（特許文献１参照）。
【０００６】
【特許文献１】特許２５２１２５６号公報
【発明の開示】
【発明が解決しようとする課題】
【０００７】
上記特許文献に開示された自然循環型原子炉においては、発電機の出力を下げる、すなわち原子炉の出力を下げる場合には、タービンバイパス弁を開き、蒸気を復水器へ逃すことによって達成する。また、発電機の出力を上げる、すなわち原子炉の出力を上げる場合には、一旦タービン蒸気加減弁を閉じて、原子炉内の圧力を上昇させ、ボイドを潰すことによって達成する。
【０００８】
しかしながら、タービン蒸気加減弁を閉じて原子炉内の圧力を上昇させる際には、タービンに供給される蒸気流量が減少してしまうため、発電機の出力が低下し、原子炉の出力が変動してしまうという問題がある。
【０００９】
本発明は、上述の問題点を考慮し、発電機の出力変動を抑え、安定した電気出力を供給するとともに原子炉出力の変動も抑制することのできる自然循環型原子炉の出力制御装置を提供することを目的とするものである。
【課題を解決するための手段】
【００１０】
上記の課題を解決するために、本発明は、原子炉出力を制御する出力制御部と、原子炉圧力を制御する圧力制御部と、を備えた自然循環型原子炉の出力制御装置において、前記圧力制御部に入力される前記出力制御部からの出力調整要求信号と、前記圧力制御部に入力される前記出力調整要求信号とにより、湿分分離加熱器に設けられた入口蒸気加減弁の開度を制御するものである。
【００１１】
これにより、原子炉に対して負荷変動が要求された際に、入口蒸気加減弁の開閉を制御することで、入口蒸気加減弁を通過する蒸気流量を調節して、原子炉の出力の変動を抑える。
【発明の効果】
【００１２】
本発明の自然循環型原子炉の出力制御装置によれば、原子炉の出力を大きく変動させることなく、安定した原子炉の出力を供給することができる。また、負荷変動に対する追従性を向上させることができる。
【００１３】
また、本発明の自然循環型原子炉の発電システムによれば、原子炉の出力を大きく変動させることなく、原子炉による安定した電力の供給を行うことができる。
【００１４】
さらに、本発明の自然循環型原子炉の出力制御方法によれば、原子炉の出力が大きく変動することなく、安定した原子炉の出力を供給するようにできる。
【発明を実施するための最良の形態】
【００１５】
以下、本発明に係る自然循環型原子炉の出力制御装置を実施するための最良の形態について、図面を参照して説明するが、本発明は以下の形態に限定されるものではない。
【００１６】
図１は、本発明に係る自然循環型原子炉の出力制御装置を備えた発電システムの実施形態を示す模式図である。
【００１７】
図１に示すように、自然循環型原子炉の発電システムが有する自然循環型原子炉は、燃料集合体１と、燃料集合体１の間隙に挿入されて炉心の反応度を制御する制御棒３を配置した炉心４を内包する原子炉圧力容器６とを備えている。
【００１８】
原子炉圧力容器６の下部には、炉心４内で制御棒３を上下方向に挿抜可能に駆動する制御棒駆動装置８が設けられている。また、原子炉圧力容器６には、主蒸気管３２と給水管３３とが接続されている。
【００１９】
炉心４を囲むようにして円筒状のシュラウド５を配設することにより、シュラウド５の内側には、図に示した矢印方向に冷却材が上昇するための上昇流路が形成され、また、シュラウド５の外側には、冷却材が下降するための下降流路であるダウンカマ７が形成されている。また、シュラウド５の上部には、円筒状のチムニー９が配設され、さらに、チムニー９の上方には、気水分離器１０と蒸気乾燥機１１とが設けられている。
【００２０】
原子炉圧力容器６内部では、冷却材が、チムニー９の内を通過する炉心４で沸騰した気液二相の冷却材と、ダウンカマ７内を通過する液単相の冷却材との密度差によって自然循環する。原子炉圧力容器６の内部には、冷却材が、ダウンカマ７を下降した後に炉心４を通過してチムニー９内を上昇し、気水分離器１０により蒸気が分離されて再びダウンカマ７を下降するというような循環流路が形成されている。
【００２１】
気水分離器１０で飽和水と分離された蒸気は、さらに蒸気乾燥器１１で微少な水滴が除
去されて、主蒸気管３２を介して第１のタービンとしての高圧タービン１７に導かれ、次に第２のタービンとしての低圧タービン１８に導かれる。低圧タービン１８に導かれた蒸気は、タービンの回転エネルギーに変換され、さらに、低圧タービン１８に接続された発電機２１によって電気エネルギーに変換される。
【００２２】
また、高圧タービン１７と低圧タービン１８との間には、高圧タービン１７で温度が低下した蒸気を加熱して、エネルギー効率を回復するための湿分分離加熱器２２が設けられている。
【００２３】
低圧タービン１８を回転させた蒸気は、冷却源を有する復水器２３で凝縮されて復水となる。この復水器２３で凝縮された復水は、給水ポンプ２４により給水管３３を通じて原子炉圧力容器６内へ還流される。
【００２４】
なお、主蒸気管３２には、高圧タービン１７に流入する蒸気流量を調節する主蒸気加減弁２８が設けられており、また、主蒸気管３２には、入口蒸気管２９及びタービンバイパス管３０が接続されている。入口蒸気管２９には、湿分分離加熱器２２へ流入する蒸気量を調整する入口蒸気加減弁２７が設けられている。また、タービンバイパス管３０には、復水器２３への蒸気流量を調節するタービンバイパス弁３１が設けられている。
【００２５】
自然循環型原子炉の出力制御装置は、原子炉出力を所定出力に制御する出力制御部である出力制御装置１５と、原子炉圧力を所定圧力に制御する圧力制御部である圧力制御装置１６とを備えている。
【００２６】
圧力制御装置１６には、図示しない中央給電室からの負荷追従要求信号Ｓ２と、出力制御装置１５からの出力調整要求信号Ｓ４と、原子炉圧力容器６に設けられた原子炉圧力検出器１３からの原子炉圧力信号Ｓ９とが入力する。なお、負荷追従要求信号Ｓ２と出力調整要求信号Ｓ４は、いずれか一方の信号が入力すればよい。
【００２７】
ここで負荷追従要求信号Ｓ２とは、例えば、発電システム系統全体の発電力の安定化を図るために、中央給電室から出力される比較的小幅で短周期の信号であって、ガバナフリーのような秒単位で変化するサインウェーブ的な信号をいう。
【００２８】
また、圧力制御装置１６からは、入口蒸気加減弁２７に対する入口蒸気加減弁開度指令信号Ｓ８と、主蒸気加減弁２８に対する主蒸気加減弁開度指令信号Ｓ５と、タービンバイパス弁３１に対するタービンバイパス弁開度指令信号Ｓ７が出力される。さらに、圧力制御装置１６からは、出力制御装置１５に入力する原子炉出力相当信号Ｓ２０が出力される。
【００２９】
出力制御装置１５には、原子炉圧力容器６に設けられた原子炉出力検出器１２からの原子炉出力信号Ｓ１と、上述した原子炉出力相当信号Ｓ２０が入力する。
【００３０】
また、出力制御装置１５からは、上述した出力調整要求信号Ｓ４と、制御棒駆動制御装置１４に対する制御棒駆動指令信号Ｓ２１が出力される。
【００３１】
原子炉出力相当信号Ｓ２０が入力された出力制御装置１５は、制御棒駆動指令信号Ｓ２１を出力し、この制御棒駆動指令信号Ｓ２１によって、制御棒駆動制御装置１４が駆動される。原子炉出力相当信号Ｓ２０が、原子炉の出力を上げる指令信号の場合には、制御棒駆動装置８により制御棒３を燃料集合体２から引き抜くような制御を行う。また、原子炉出力相当信号Ｓ２０が、原子炉の出力を下げるような指令信号の場合には、制御棒３を燃料集合体１に挿入するような制御を行う。
【００３２】
図２は、図１に示した自然循環型原子炉の発電システムにおける圧力制御装置１６内部の制御系統図である。
【００３３】
図２に示すように、圧力制御装置１６の内部では、出力制御装置１５から、目標出力値から現状の出力値が減算された偏差信号である出力調整要求信号Ｓ４が出力されて、圧力制御装置１６の内部に設けられている出力制御器１６３に入力する。なお、出力調整要求信号Ｓ４は、出力制御装置１５を介さず、直接出力制御器１６３に入力されるものであってもよい。
【００３４】
原子炉圧力検出器１３から出力された原子炉圧力信号Ｓ９には、原子炉内の圧力を一定に保つために予め設定されている圧力設定値が減算されて、圧力差分信号Ｓ１１として、圧力制御装置１６の内部に設けられている圧力調整器１６１に入力する。
【００３５】
圧力調整器１６１では、入力された圧力差分信号Ｓ１１に調整が加えられて、圧力信号Ｓ１２が出力される。この圧力信号１２には、後述するように低値優先回路１６４から出力された低値優先信号Ｓ１５が減算され、偏差信号としてタービンパイパス弁開度指令信号Ｓ７となる。その結果、このタービンバイパス弁開度指令信号Ｓ７の偏差量に基づいて、タービンバイパス弁３１が開かれる。
【００３６】
低値優先回路１６４には、圧力調整器１６１から出力された圧力信号Ｓ１２と、タービン速度制御器から出力されたタービン速度制御出力信号Ｓ１４と、圧力制御装置１６の内部に設けられている負荷制限器１６２から出力された負荷制限信号Ｓ１３とが入力する。低値優先回路１６４は、圧力信号Ｓ１２と負荷制限信号Ｓ１３とタービン速度制御出力信号Ｓ１４との何れかの低値の信号を選択し、低値優先信号Ｓ１５を出力する。
【００３７】
原子炉出力が低下した場合には、出力制御器１６３では、入力された出力調整要求信号Ｓ４に、例えば比例積分制御を行い、閉指令である入口蒸気加減弁開度指令信号Ｓ８を出力する。その結果、この入口蒸気加減弁開度指令信号Ｓ８に基づいて、入口蒸気加減弁２７が閉じられ、原子炉出力を増加する。なお、出力制御器１６３に入力される信号は、中央給電室から出力される負荷追従要求信号Ｓ２であってもよい。
【００３８】
負荷追従要求信号Ｓ２が発電機出力増加要求を出力した場合には、前述と同様に入口蒸気加減弁開度指令信号Ｓ８に基づいて、入口蒸気加減弁２７が閉じられ、原子炉出力を増加する。
一方、低値優先信号Ｓ１５には、出力制御器１６３から出力された出力制御信号Ｓ１６が加算されて、主蒸気加減弁開度指令信号Ｓ５となり、この主蒸気加減弁開度指令信号Ｓ５の加算量に基づいて、主蒸気加減弁２８の開動作が行われる。
【００３９】
本実施形態の原子炉出力制御装置では、上述したように、閉指令として入口蒸気調整弁開度指令信号Ｓ８が出力されると、入口蒸気加減弁２７の開度が０％となるように、すなわち入口蒸気加減弁が閉じるように制御される。これにより、入口蒸気管２９に供給されるべき蒸気流が、入口蒸気加減弁２７によって遮られて、主蒸気加減弁２８に流入し、この結果、高圧タービン１７に供給される蒸気流量が増加し、発電機２１の出力、すなわち原子炉の出力を増加させることができる。このように、本実施形態の原子炉出力制御装置によれば、制御棒の操作を行うことなく、短時間で発電機２１の出力を増加させることができるため、負荷変動に対する追従性を高めることができる。
【００４０】
また、本実施形態の自然循環型原子炉の出力制御装置によれば、原子炉出力が変動した場合でも蒸気流量の多い主蒸気加減弁２８を閉じることがないので、原子炉の出力を大きく変動させることなく、原子炉の運転を継続させることができる。
【００４１】
本実施形態の自然循環型原子炉の出力制御方法によれば、まず、圧力制御装置１６によって、短時間で上述したような一連の弁の開閉制御を行ない、その後、上述したように出力制御装置１５によって、制御棒３の操作を必要とするような長時間の制御動作が行われるので、原子炉の出力が大きく変動することなく、安定した原子炉の運転を行うことができる。
【００４２】
また、本実施形態の原子炉出力制御装置において行われる制御は、図７に示すように、起動運転時ではなく、主に定格運転時に生じた負荷変動に対して行われる。すなわち、本実施形態における原子炉出力制御装置では、比較的短期で行う制御は圧力制御装置１６で行い、比較的長期に行う必要のある制御は、出力制御装置１５で行うように設定されている。
【００４３】
なお、本実施形態では、入口蒸気加減弁２７の開度は、弁開度が０％か１００％のいわゆる全開運用で行われているが、例えば、入口蒸気加減弁２７の弁開度が５０％程度の状態で行うような、いわゆる中間開度運用の構成を採用してもよい。このように入口蒸気加減弁２７の開度を中間開度運用とすることで、弁に余裕度を持たせて、原子炉の出力を上げる場合にも、原子炉の出力を下げる場合にも用いることができる。
【００４４】
図３は、図１に示した原子炉発電システムにおける圧力制御装置１６内部の他の実施形態の制御系統図である。
【００４５】
図３が、図２と違う点は、出力制御器１６３の内部で、例えば比例積分制御がなされた出力調整信号Ｓ４が、出力制御信号Ｓ１７として出力され、この出力制御信号Ｓ１７が、圧力信号Ｓ１２から低値優先信号Ｓ１５が減算された偏差信号Ｓ１８に加算されて、タービンバイパス弁開度指令信号Ｓ７となる点である。このタービンバイパス弁開度指令信号Ｓ７の加算量に基づいて、タービンバイパス弁３１の開度が制御される。
【００４６】
本実施形態の原子炉圧力制御装置によれば、タービンパイパス弁３１の開度に比例した蒸気流量が復水器２３に送られて復水となるので、発電機２１の出力、すなわち原子炉の出力を一定の値に維持することができ、原子炉出力が変動した場合の制御方式として有効である。
【００４７】
なお、出力制御器１６３から二つの出力制御信号Ｓ１６，Ｓ１７を出力させて、主蒸気加減弁２８の開閉制御と、タービンバイパス弁３１の開閉制御を連動させるような構成としてもよい。これにより、主蒸気加減弁２８とタービンバイパス弁３１の双方を併用して、原子炉の出力を調整することができる。
【００４８】
図４は、図１に示した原子炉発電システムにおける圧力制御装置１６内部の他の実施形態の制御系統図である。
【００４９】
図４が図２と違う点は、本実施形態の圧力制御装置１６では、入力される出力調整要求信号Ｓ４に対して入力ゲート部１６０を設けている点である。ここでは、原子炉の出力状態が目標値よりも大きい場合には、出力調整要求信号Ｓ４の値を負と定義し、原子炉の出力状態が目標値よりも小さい場合には、出力調整要求信号Ｓ４の値を正と定義する。
【００５０】
すなわち、入力された出力調整要求信号Ｓ４が負の場合には、原子炉の出力を下げるような制御を行い、入力された出力調整要求信号Ｓ４が正の場合には、原子炉の出力を上げるような制御を行う。
【００５１】
また、図５に示すように、本実施形態では、閾値として０を設定し、さらに入力される出力調整要求信号Ｓ４が負の信号の場合には、０以下の上限制限を設け、正の信号の場合には、０以上の下限制限を設けている。これによって、タービンバイパス弁３１と入口蒸気加減弁２７を個別に制御する。
【００５２】
入力される出力調整要求信号Ｓ４が負の場合には、出力調整要求信号Ｓ４は、ゲートを通り、符号が反転された後、圧力制御装置１６内に設けられている出力制御器１６３ａに入力する。出力制御器１６３ａに入力した出力調整要求信号Ｓ４には、例えば比例積分制御がなされ、出力制御器１６３ａからは、出力制御信号Ｓ１６が出力される。この出力制御信号Ｓ１６は、圧力信号１２から低値優先信号Ｓ１５が減算された偏差信号Ｓ１８に加算されて、タービンバイパス開度指令信号Ｓ７となる。その結果、このタービンバイパス開度指令信号Ｓ７の加算量により、タービンバイパス加減弁３１の開度が制御される。
【００５３】
これにより、本実施形態の原子炉圧力制御装置によれば、出力調整要求信号Ｓ４が負の場合には、タービンパイパス弁３１の開度に比例した蒸気流量が復水器２３に送られて復水となり、発電機２１の出力、すなわち何らかの原因で上昇した原子炉の出力が下がる（目標値に戻す）ように制御される。
【００５４】
一方、入力される出力調整要求信号Ｓ４が正の場合には、出力調整要求信号Ｓ４は、ゲートを通り、圧力制御装置１６内に設けられている出力制御器１６３ｂに入力する。出力制御器１６３ｂに入力した出力調整要求信号Ｓ４には、例えば比例積分制御がなされ、出力制御器１６３ｂからは、閉指令の入口蒸気加減弁開度指令信号Ｓ８が出力される。その結果、この入口蒸気加減弁開度指令信号Ｓ８により、入口蒸気加減弁２７は閉じるように制御される。
【００５５】
これにより、本実施形態の原子炉圧力制御装置によれば、出力調整要求信号Ｓ４が正の場合には、入口蒸気加減弁２７の開度が０％となるように、すなわち入口蒸気加減弁が閉じるように制御される。これにより、入口蒸気管２９に供給されるべき蒸気流が、入口蒸気加減弁２７によって遮られて、この結果、何らかの原因で低下した原子炉の出力を増加させる（目標値に戻す）ことができる。このように、本実施形態の原子炉出力制御装置によれば、制御棒の操作を行うことなく、短時間で原子炉の出力を調整する（目標値に回復する）ことができるため、安定した出力で原子炉を継続運転させることができる。
【００５６】
なお、入力される信号は、出力調整要求信号Ｓ４ではなく、出力制御装置１５から出力される負荷追従要求信号Ｓ２であってもよい。なお、この場合は、出力制御器１６３aからの信号Ｓ１６は信号Ｓ５を補正し、蒸気加減弁２８の開度を調整するような構成とすることが望ましい。
【００５７】
以下、本発明の原子炉出力制御装置を適用した場合の自然循環型原子炉の状態について説明する。
【００５８】
図６は、原子炉出力制御装置を適用した自然循環型原子炉の状態について、主要パラメータの相対変化を示したものである。
図６に示すように、主要なパラメータとして、原子炉内の中性子束、原子炉圧力、入口蒸気加減弁（ＭＳＨ−ＣＶ）開度を選択し、それらの相対的変化を時系列に沿って説明する。
【００５９】
まず、例えば、給水ポンプの運転状態がなんらかの原因で変化して給水温度が変動することにより、原子炉圧力容器６内の中性子束が低下を始め、原子炉の出力が低下し始める（Ａ）。すると、出力調整要求信号Ｓ４を受けた圧力制御装置１６によって、入口蒸気加減弁２７の開度が狭くなるように制御が行われる（Ｂ）。つぎに、入口蒸気加減弁２７が閉じたことに伴い、原子炉圧力容器６内の圧力が上昇を始める（Ｃ）。そして、原子炉圧力容器６内の圧力が上昇すると炉内で発生しているボイドが潰れるため、中性子束が増加し、原子炉の出力が回復する（Ｄ）。
【００６０】
さらに、原子炉出力相当信号Ｓ２０を受けた出力制御装置１５によって、制御棒３が燃料集合体１から引き抜きかれるように操作されるため、原子炉内の中性子束は緩やかに上昇し、それに伴い原子炉の出力も緩やかに上昇する（Ｅ）。また、原子炉の出力の回復に伴い、入口蒸気加減弁２７の開度も元の状態に回復する（Ｆ）。
【００６１】
なお、本発明の原子炉圧力制御装置は、上述の各形態に限定されるものではなく、その他材料、構成等において本発明の構成を逸脱しない範囲において種々の変形、変更が可能であることはいうまでもない。
【図面の簡単な説明】
【００６２】
【図１】本発明に係る自然循環型原子炉を備えた原子炉発電システムの一実施形態の全体構成を表す模式図である。
【図２】図１に示した自然循環型原子炉の発電システムにおける圧力制御装置１６内部の一実施形態の制御系統図である。
【図３】図１に示した原子炉発電システムにおける圧力制御装置１６内部の他の実施形態の制御系統図である。
【図４】図１に示した原子炉発電システムにおける圧力制御装置１６内部の他の実施形態の制御系統図である。
【図５】入力される負荷追従要求信号の上限制限と下限制限を説明するための図である。
【図６】本発明の自然循環型原子炉の出力制御装置を適用した原子力発電システムについて、主要パラメータの変化を相対的に示したものである。
【図７】原子炉の運転状態の経時変化を示す図である。
【符号の説明】
【００６３】
１・・燃料集合体、３・・制御棒、４・・炉心、５・・シュラウド、６・・原子炉圧力容器、７・・ダウンカマ、８・・制御棒駆動機構、９・・チムニー、１０・・気水分離器、１１・・蒸気乾燥機、１２・・原子炉出力検出器、１３・・原子炉圧力検出器、１４・・制御棒駆動制御装置、１５・・出力制御装置、１６・・圧力制御装置、１７・・高圧タービン、１８・・低圧タービン、２１・・発電機、２２・・湿分分離加熱器、２３・・復水器、２４・・給水ポンプ、２７・・入口蒸気加減弁、２８・・主蒸気加減弁、２９・・入口蒸気管、３０・・タービンバイパス管、３１・・タービンバイパス弁、３２・・主蒸気管、３３・・給水管、１６０・・ゲート部、１６１・・圧力調整器、１６２・・負荷制限器、１６３・・出力制御器、Ｓ１・・原子炉出力信号、Ｓ２・・負荷追従要求信号、Ｓ４・・出力調整要求信号、Ｓ５・・主蒸気加減弁開度指令信号、Ｓ７・・タービンバイパス弁開度指令信号、Ｓ８・・入口蒸気調整弁開度指令信号、Ｓ９・・原子炉圧力信号、Ｓ１１・・圧力差分信号、Ｓ１２・・圧力信号、Ｓ１３・・負荷制限信号、Ｓ１４・・タービン速度制御出力信号、Ｓ１５・・低値優先信号、Ｓ１６・・出力制御信号、Ｓ１７・・出力制御信号、Ｓ１８・・偏差信号、Ｓ２０・・原子炉出力相当信号、Ｓ２１・・制御棒駆動指令信号、
【図１】
0004669797.tif 000002
【図２】
0004669797.tif 000003
【図３】
0004669797.tif 000004
【図４】
0004669797.tif 000005
【図５】
0004669797.tif 000006
【図６】
0004669797.tif 000007
【図７】
0004669797.tif 000008